(57)【特許請求の範囲】
【請求項１】
歯科用チェアユニットに装着されたインスツルメントの水回路に殺菌水及び洗浄水を供給するものであって、
密閉型の貯留槽の上部間隙に圧縮エアを供給する圧縮エア供給機構と、同貯留槽内の殺菌水を前記圧縮エアの加圧力によって一端が浴槽内下方に位置し、他端が槽外に延出された導管を通じて、外部へ導出する殺菌水導出機構とを備えてなる殺菌水貯留槽と、
密閉型貯留槽内の上部間隙に圧縮エアを供給する圧縮エア供給機構と、同貯留槽内の洗浄水を前記圧縮エアの加圧力によって一端が浴槽内下方に位置し、他端が槽外に延出された導管を通じて、外部へ導出する洗浄水導出機構とを備えてなる洗浄水貯留槽とが、
可動型基台上の１つの筐体の中に前記両貯留槽が隔壁によって分離されて隣接して設けられ、
殺菌水及び洗浄すいを前記各導出機構を介して、インスツルメントの水回路に供給するものであることを特徴とする歯科治療用の可動型殺菌・洗浄水供給装置。
【請求項２】
インスツルメントの水回路に殺菌水及び洗浄水を供給するインスツルメントの水回路処理装置を備え、同水回路処理装置は殺菌水あるいは洗浄水のいずれかの供給のための選択切り替え機構を備えてなることを特徴とする請求項１に記載の歯科治療用の可動型殺菌・洗浄水供給装置。
【請求項３】
殺菌水が、殺菌性の固形剤あるいは粉末を水に溶解したものであることを特徴とする請求項１又は２に記載の歯科治療用可動型殺菌・洗浄水供給装置。
【請求項４】
インスツルメントの水回路処理装置が、歯科用チェアユニットに近接して独立して設置されるものであることを特徴とする請求項１〜３のいずれか１項に記載の歯科治療用の可動型殺菌・洗浄水供給装置。
【請求項５】
インスツルメントの水回路処理装置が、可搬型であることを特徴とする請求項１〜４のいずれか１項に記載の歯科治療用の可動型殺菌・洗浄水供給装置。
【請求項６】
筐体の少なくとも一部が透明であることを特徴とする請求項１〜５のいずれか１項に記載の歯科治療用の可動型殺菌・洗浄水供給装置。
【発明の詳細な説明】
【０００１】
【発明の属する技術分野】
本発明は、歯科用チェアユニットに装着されているインスツルメントの水回路の処理に係り、特に独立したインスツルメントの殺菌水並びに洗浄水の水回路処理装置を歯科用チェアユニットに近接して配置し、水回路の殺菌及び洗浄を切り替えて使用する歯科治療用可動型殺菌・洗浄水供給装置に関する。
【０００２】
【従来の技術】
従来、歯科用チェアユニットに装着されているインスツルメント水回路の処理は、使用後洗浄水による洗浄のみが行われていた。
【０００３】
【発明が解決しようとする課題】
しかしながら、各種インスツルメントにおいて、洗浄水による洗浄のみではその水回路の残留水が汚染されるおそれがあった。さらに、酸性水等による水回路の殺菌も試みられているが、酸化による水回路の腐食、劣化等の問題があった。
また、殺菌水の生成装置をチェアユニットに内蔵し、洗浄水と切り替えて使用する例もみられるが、装置が複雑であり、高価格であった。
そのため、独立したインスツルメントの殺菌・洗浄用水回路の処理装置を設けて、前記残留水を簡単に処理する装置を提供する。
【０００４】
【課題を解決するための手段】
上記の課題に鑑み本願発明者は鋭意研究の結果次に示す手段によりこの問題を解決した。
（１） 歯科用チェアユニットに装着されたインスツルメントの水回路に殺菌水及び洗浄水を供給するものであって、
密閉型の貯留槽の上部間隙に圧縮エアを供給する圧縮エア供給機構と、同貯留槽内の殺菌水を前記圧縮エアの加圧力によって一端が浴槽内下方に位置し、他端が槽外に延出された導管を通じて、外部へ導出する殺菌水導出機構とを備えてなる殺菌水貯留槽と、
密閉型貯留槽内の上部間隙に圧縮エアを供給する圧縮エア供給機構と、同貯留槽内の洗浄水を前記圧縮エアの加圧力によって一端が浴槽内下方に位置し、他端が槽外に延出された導管を通じて、外部へ導出する洗浄水導出機構とを備えてなる洗浄水貯留槽とが、
可動型基台上の１つの筐体の中に前記両貯留槽が隔壁によって分離されて隣接して設けられ、
殺菌水及び洗浄すいを前記各導出機構を介して、インスツルメントの水回路に供給するものであることを特徴とする歯科治療用の可動型殺菌・洗浄水供給装置。
（２）インスツルメントの水回路に殺菌水及び洗浄水を供給するインスツルメントの水回路処理装置を備え、同水回路処理装置は殺菌水あるいは洗浄水のいずれかの供給のための選択切り替え機構を備えてなることを特徴とする前項（１）に記載の歯科治療用の可動型殺菌・洗浄水供給装置。
（３）殺菌水が、殺菌性の固形剤あるいは粉末を水に溶解したものであることを特徴とする前項（１）又は（２）に記載の歯科治療用可動型殺菌・洗浄水供給装置。
（４）インスツルメントの水回路処理装置が、歯科用チェアユニットに近接して独立して設置されるものであることを特徴とする前項（１）〜（３）のいずれか１項に記載の歯科治療用の可動型殺菌・洗浄水供給装置。
（５）インスツルメントの水回路処理装置が、可搬型であることを特徴とする前項（１）〜（４）のいずれか１項に記載の歯科治療用の可動型殺菌・洗浄水供給装置。
（６）筐体の少なくとも一部が透明であることを特徴とする前項（１）〜（５）のいずれか１項に記載の歯科治療用の可動型殺菌・洗浄水供給装置。
【０００５】
【発明の実施の形態】
本発明の実施の形態は、歯科用チェアユニットに装着されたインスツルメントの水回路に殺菌水及び洗浄水を供給する（インスツルメントの水回路処理装置）が、外部から殺菌水並びに洗浄水を注入貯留するそれぞれの密閉型の貯留槽と、前記各貯留槽内の上部間隙に圧縮エアを外部から供給するエア回路とを備え、圧縮エアにより、前記殺菌水並びに洗浄水を、貯留槽の上部にセットされたインスツルメントのチューブ接続端を介してインスツルメントの先端部より外部に排出する。
排出は、歯科用チェアユニットのスピットンの排水孔、あるいは室内の洗面台の排水孔等特に場所を問わない。
また、殺菌水並びに洗浄水供給の選択切り替え機構を備え、どちらかを選択して処理することができ、所要時に水回路の殺菌あるいは洗浄を実施することができる。
さらに、前記水回路の処理装置は、歯科用チェアユニットの近傍に独立して設置される独立型であり、使用は、治療中あるいは治療終了時において随時、水回路の殺菌あるいは洗浄作業を行うことができる。
そして、貯留槽に貯留される殺菌水は、例えばソフト酸性水、次亜塩素酸ソーダの希釈液等の液体又は、殺菌性錠剤あるいは粉末等を貯留槽内の水に投入して製造してもよい。
【０００６】
【実施例】
以下にその実施例を図に基づいて説明する。
図１は、インスツルメントの水回路処理装置角型の外観図で、
図２は、インスツルメントの水回路処理装置円筒形の外観図である。
図において、１は水回路処理装置、２は殺菌水貯留槽、３は注水口、６は殺菌水と洗浄水の切り替えバルブ、１０は隔壁、１３は洗浄水貯留槽、１５はエア切り替えバルブ、１６はチューブ端部の挿着部、１７はインスツルメントチューブの端部、１８はチューブ、１９はインスツルメント、２０は排水、２１はスピットンの排水孔、２３は装置懸吊具、２４はキャスター、２５はチューブ内の流れ、２６は貯留槽蓋、２７はエア供給口、２８は切り替え機構部、２９は筺体、３１はインスツルメントの開閉レバーをそれぞれ示す。
【０００７】
図１又は図２に示したように、インスツルメントの水回路処理装置１は、外部から殺菌水並びに洗浄水を注入する注水口３を有する密閉型の殺菌水貯留槽２及び洗浄水貯留槽１３が、１つの筺体２９の中に隔壁１０によって分離されて設けられている。
また、エア供給用のエア供給口２７が設けられており、そこから前記殺菌水貯留槽２及び洗浄水貯留槽１３内の上部間隙３２（図３）に圧縮エアを外部から供給して、貯留槽内部の殺菌水並びに洗浄水を押し上げ、切り替え機構２８（図３）の上部にセットされているチューブ端部の挿着部１６より、インスツルメントのチューブの端部１７及びチューブ１８を介してチューブ内の流れ２５のように送られる。
そして、インスツルメントの開閉レバー３１を開き、インスツルメント１９の先端部より排出して、スピットンの排水孔２１に排水２０を排出する。
なお、排水２０は上記スピットンの排水孔２１に限らず、近くにあるいずれの排水孔に排出してもよい。
上記の操作を行うために、殺菌水あるいは洗浄水の供給を選択する切り替え機構２８が前記貯留槽の上部に設けてられており、連動する殺菌水と洗浄水の切り替えバルブ６とエアの切り替えバルブ１５とを操作する（図３）ことにより、殺菌水（Ｓ）あるいは洗浄水（Ｃ）のどちらかを使用することができる。
【０００８】
前記インスツルメントの水回路の処理装置は、歯科用チェアユニットの近傍に独立して設置することができるように、可搬型で床上、卓上にセットでき、
また、キャスタ２４による床上移動や、所要箇所に懸吊できるように装置懸吊具２３を筺体２９に設けている。
また、筺体２９及び前記殺菌水貯留槽２及び洗浄水貯留槽１３は、殺菌水並びに洗浄水の使用量が目視できるように透明（一部でも可）であることが望ましい。
【０００９】
図３は、インスツルメントの水回路の処理装置のブロック図である。
図において、４は注水口の蓋、５はエアの調節弁、７は殺菌水供給管、８は圧縮エアによる圧縮方向、９は殺菌水の押し上げ方向、１１は洗浄水供給管、１２は洗浄水の押し上げ方向、１４は注水の流れ、２２は外部排水管、３０はエア供給管、３１はインスツルメント開閉レバー、３２は上部の間隙をそれぞれ示す。図に基づいてその作用を以下に説明する。
殺菌水貯留槽２及び洗浄水貯留槽１３のそれぞれの注水口３から、殺菌水及び洗浄水を注水の流れ１４のように注入する。所定位置迄注入した後、蓋４を閉め貯留槽を密閉状態にする。
この、蓋４には中央部にエアの調節弁５を有しており、槽内の空気圧が調整できるようになっている。
【００１０】
前記殺菌水貯留槽２及び洗浄水貯留槽１３の、貯留部分には殺菌水供給管７及び洗浄水供給管１１並びにエア供給管３０が取り付けられており上部の間隙３２には、エア切り替えバルブ１５を介して圧縮エア８を供給するエア供給管３０が開口されている。
殺菌水あるいは洗浄水を送り出すには、前記圧縮エアを圧縮エアによる圧縮方向８のようにエア供給管３０から前記殺菌水貯留槽２及び洗浄水貯留槽１３の上部の間隙３２に供給してやると、殺菌水あるいは洗浄水は圧縮エアによる圧縮方向８のように圧縮され、殺菌水供給管７あるいは洗浄水供給管１１内の殺菌水あるいは洗浄水を、それぞれ殺菌水の押し上げ方向９及び洗浄水の押し上げ方向１２のように下から押し上げる。
そして、前記殺菌水供給管７あるいは洗浄水供給管１１の前端部は、殺菌水と洗浄水の切り替えバルブ６に接続されており、切り替えバルブ６を介して、さらにその先のチューブ端部の挿着部１６にセットされているインスツルメントのチューブの端部１７及びチューブ１８を通り、さらにインスツルメント１９の開閉レバー３１を手動で開くと、その先端部より前記殺菌水あるいは洗浄水を排水２０のように排出する。
上記の排水２０は図のようにスピットンの排水孔２１に排出され、外部排水管２２に流される。
なお、排水はスピットンに限らず他の排水孔に排出してもよい。
また、上記殺菌水と洗浄水の切り替えバルブ６と、圧縮エア切り替えバルブ１５は連動しており、殺菌水あるいは洗浄水を選択し送出することができる。
【００１１】
【発明の効果】
本発明の歯科治療用可動型殺菌・洗浄水供給装置におけるインスツルメントの水回路処理装置によれば以下に示す優れた効果を発揮する。
本発明によれば、殺菌水貯留槽と洗浄水貯留槽とが、可動型基台上の１つの筐体の中に前記両貯留槽が隔壁によって分離されて隣接して設けられ、殺菌水及び洗浄水を各導出機構を介して、インスツルメントの水回路に供給することができる簡便な装置によって殺菌水により水回路を滅菌したうえ、洗浄水により洗浄し殺菌水による水回路の腐食や劣化を防止することができる歯科治療用の可動型殺菌・洗浄水供給装置が提供できる。
【図面の簡単な説明】
【図１】本発明のインスツルメントの水回路処理装置角型の外観図。
【図２】インスツルメントの水回路処理装置円筒型の外観図。
【図３】インスツルメントの水回路処理装置のブロック図。
【符号の説明】
１：水回路処理装置                ２：殺菌水貯留槽
３：注水口。                      ４：注水口の蓋
５：エアの調節弁                  ６：殺菌水と洗浄水の切り替えバルブ
７：殺菌水供給管                  ８：圧縮エアによる圧縮方向
９：殺菌水の押し上げ方向          １０：隔壁
１１：洗浄水供給管                １２：洗浄水の押し上げ方向
１３：洗浄水貯留槽                １４：注水の流れ
１５：エア切り替えバルブ          １６：チューブ端部の挿着部
１７：インスツルメントチューブの端部
１８：チューブ                    １９：インスツルメント
２０：排水                        ２１：スピットンの排水孔
２２：外部排水管                  ２３：装置懸吊具
２４：キャスター                  ２５：チューブ内の流れ
２６：貯留槽蓋                    ２７：エア供給口
２８：切り替え機構                ２９：筺体
３０：エア供給管                  ３１：インスツルメント開閉レバー
３２：上部の間隙
【図１】
0004203681.tif 000002
【図２】
0004203681.tif 000003
【図３】
0004203681.tif 000004